(57)【特許請求の範囲】
【請求項１】
複数個の被包装物と、前記複数個の被包装物のうちの一個以上の被包装物を収容可能な形状の複数の膨出部を有するブリスターシートと、前記複数の膨出部のそれぞれの開口を封止するように前記ブリスターシートの裏面側に接着される裏面シートとを備えるブリスターパッケージであって、
前記ブリスターシートは、前記複数の膨出部として、第一膨出部と、前記第一膨出部と特定方向に隣接する第二膨出部と、前記第一膨出部と前記特定方向とは異なる方向に隣接する第三膨出部とを含み、さらに、前記第一膨出部を含む第一個別領域と前記第二膨出部を含む第二個別領域との間での当該ブリスターシートの切断を誘導する第一切断誘導部と、前記第三膨出部を含む第三個別領域と前記第一個別領域との間での当該ブリスターシートの切断を誘導する第二切断誘導部と、前記第二個別領域と前記第三個別領域との間に介在する介在部と、前記介在部と前記第一膨出部との間に形成されており、前記第一切断誘導部及び前記第二切断誘導部に挟まれる前記第一個別領域の角部が面取りされる形状に切り込まれた第一切込部と、前記介在部を、前記第二個別領域から前記第三個別領域へ向かって突出する形状の第二個別領域側突出部と、前記第三個別領域から前記第二個別領域に向かって突出する形状の第三個別領域側突出部とに分断するとともに、その切断面が滑らかに連続する面となるように切り込まれた第二切込部とを含み、
前記裏面シートは、前記第一切断誘導部と対向する部分に形成されており、前記第一切断誘導部の切断に合わせて、前記第一膨出部の開口を封止する第一裏面シートと前記第二膨出部の開口を封止する第二裏面シートとの間で当該裏面シートが切断される第一裏面切断部と、前記第二切断誘導部と対向する部分に形成されており、前記第二切断誘導部の切断に合わせて、前記第三膨出部の開口を封止する第三裏面シートと前記第一裏面シートとの間で当該裏面シートが切断される第二裏面切断部と、前記第一切込部と対向する部分に形成されており当該第一切込部と同形状を有する第一裏面切込部と、前記第二切込部と対向する部分に形成されており当該第二切込部と同形状を有する第二裏面切込部と、前記ブリスターシートの裏面側と接着されていない非接着領域とを含み、前記非接着領域は、前記第一裏面切込部及び前記第二裏面切込部を取り囲み、かつ、各膨出部の開口を封止する領域を含まない形状を有するブリスターパッケージ。
【請求項２】
請求項１に記載のブリスターパッケージにおいて、
前記ブリスターシートは、前記複数の膨出部としてさらに、前記第二膨出部と前記第三膨出部とを結ぶ直線に対して前記第一膨出部とは反対側に設けられた第四膨出部を含むとともに、この第四膨出部を含みかつ前記第二個別領域、前記第三個別領域及び前記介在部のすべてと隣接する第四個別領域と前記第二個別領域との間での当該ブリスターシートの切断を誘導する第三切断誘導部と、前記第四個別領域と前記第三個別領域との間での当該ブリスターシートの切断を誘導する第四切断誘導部と、前記第一切込部との間に前記介在部を残しながら、前記第三切断誘導部及び前記第四切断誘導部に挟まれる前記第四個別領域の角部が面取りされる形状に切り込まれた第三切込部とをさらに含み、
前記第二切込部は、前記第一切込部から前記第三切込部に至る形状を有しており、
前記裏面シートは、前記第三切断誘導部と対向する部分に形成されており、前記第三切断誘導部の切断に合わせて、前記第四膨出部の開口を封止する第四裏面シートと前記第二裏面シートの間で当該裏面シートが切断される第三裏面切断部と、前記第四切断誘導部と対向する部分に形成されており、前記第四切断誘導部の切断に合わせて、前記第四裏面シートと前記第二裏面シートの間で当該裏面シートが切断される第四裏面切断部と、前記第三切込部と対向する部分に形成されており当該第三切込部と同形状を有する第三裏面切込部とをさらに含み、前記非接着領域が前記第三裏面切込部をも取り囲む形状を有するブリスターパッケージ。
【請求項３】
請求項１又は２に記載のブリスターパッケージにおいて、
前記ブリスターシートは、前記第二切込部を取り囲むとともに各膨出部から独立した位置に設けられており、その裏面が前記裏面シートから離間することにより、両者の間に所定の空間を形成する凸部を有するブリスターパッケージ。
【請求項４】
請求項２に記載のブリスターパッケージにおいて、
前記ブリスターシートは、前記第一切込部、前記第二切込部及び前記第三切込部を取り囲むとともに各膨出部から独立した位置に設けられており、その裏面が前記裏面シートから離間することにより、両者の間に所定の空間を形成する凸部を有するブリスターパッケージ。
【請求項５】
請求項１ないし４のいずれかに記載のブリスターパッケージにおいて、
当該ブリスターパッケージの外縁のうち、前記第一個別領域及び前記第一裏面シートと前記第二個別領域及び前記第二裏面シートとの境界、並びに前記第一個別領域及び前記第一裏面シートと前記第三個別領域及び前記第三裏面シートとの境界は、それぞれ面取りされているブリスターパッケージ。
【請求項６】
複数個の被包装物と、前記複数個の被包装物のうちの一個以上の被包装物を収容可能な形状の複数の膨出部を有するブリスターシートと、前記複数の膨出部のそれぞれの開口を封止するように前記ブリスターシートの裏面側に接着される裏面シートとを備えるブリスターパッケージであって、
前記ブリスターシートは、前記複数の膨出部として、第一膨出部と、前記第一膨出部と特定方向に隣接する第二膨出部と、前記第一膨出部と前記特定方向とは異なる方向に隣接する第三膨出部とを含み、さらに、前記第一膨出部を含む第一個別領域と前記第二膨出部を含む第二個別領域との間での当該ブリスターシートの切断を誘導する第一切断誘導部と、前記第三膨出部を含む第三個別領域と前記第一個別領域との間での当該ブリスターシートの切断を誘導する第二切断誘導部と、前記第二個別領域と前記第三個別領域との間に介在する介在部と、前記介在部と前記第一膨出部との間に形成されており、前記第一切断誘導部及び前記第二切断誘導部に挟まれる前記第一個別領域の角部が面取りされる形状となるように当該ブリスターシートの切断を促進する第一切断促進部と、前記介在部を、前記第二個別領域から前記第三個別領域へ向かって突出する形状の第二個別領域側突出部と、前記第三個別領域から前記第二個別領域に向かって突出する形状の第三個別領域側突出部とに分断するとともに、その切断面が滑らかに連続する面となるように当該ブリスターシートの切断を促進する第二切断促進部とを含み、
前記裏面シートは、前記第一切断誘導部と対向する部分に形成されており、前記第一切断誘導部の切断に合わせて、前記第一膨出部の開口を封止する第一裏面シートと前記第二膨出部の開口を封止する第二裏面シートとの間で当該裏面シートが切断される第一裏面切断部と、前記第二切断誘導部と対向する部分に形成されており、前記第二切断誘導部の切断に合わせて、前記第三膨出部の開口を封止する第三裏面シートと前記第一裏面シートとの間で当該裏面シートが切断される第二裏面切断部と、前記第一切断促進部と対向する部分に形成されており、前記第一切断促進部の切断に合わせて当該裏面シートが切断される第一裏面切断促進部と、前記第二切断促進部と対向する部分に形成されており、前記第二切断促進部の切断に合わせて当該裏面シートが切断される第二裏面切断促進部と、前記ブリスターシートの裏面側と接着されていない非接着領域とを含み、前記非接着領域は、前記第一裏面切断促進部及び前記第二裏面切断促進部を取り囲み、かつ、各膨出部の開口を封止する領域を含まない形状を有するブリスターパッケージ。
【請求項７】
請求項６に記載のブリスターパッケージにおいて、
前記ブリスターシートは、前記複数の膨出部としてさらに、前記第二膨出部と前記第三膨出部とを結ぶ直線に対して前記第一膨出部とは反対側に設けられた第四膨出部を含むとともに、この第四膨出部を含みかつ前記第二個別領域、前記第三個別領域及び前記介在部のすべてと隣接する第四個別領域と前記第二個別領域との間での当該ブリスターシートの切断を誘導する第三切断誘導部と、前記第四個別領域と前記第三個別領域との間での当該ブリスターシートの切断を誘導する第四切断誘導部と、前記第一切断促進部との間に前記介在部を残しながら、前記第三切断誘導部及び前記第四切断誘導部に挟まれる前記第四個別領域の角部が面取りされる形状となるように当該ブリスターシートの切断を促進する第三切断促進部とをさらに含み、
前記第二切断促進部は、前記第一切断促進部から前記第三切断促進部に至る形状を有しており、
前記裏面シートは、前記第三切断誘導部と対向する部分に形成されており、前記第三切断誘導部の切断に合わせて、前記第四膨出部の開口を封止する第四裏面シートと前記第二裏面シートの間で当該裏面シートが切断される第三裏面切断部と、前記第四切断誘導部と対向する部分に形成されており、前記第四切断誘導部の切断に合わせて、前記第四裏面シートと前記第二裏面シートの間で当該裏面シートが切断される第四裏面切断部と、前記第三切断促進部と対向する部分に形成されており、前記第三切断促進部の切断に合わせて当該裏面シートが切断される第三裏面切断促進部とをさらに含み、前記非接着領域が前記第三裏面切断促進部をも取り囲む形状を有するブリスターパッケージ。
【請求項８】
請求項６又は７に記載のブリスターパッケージにおいて、
前記ブリスターシートは、前記第二切断促進部を取り囲むとともに各膨出部から独立した位置に設けられており、その裏面が前記裏面シートから離間することにより、両者の間に所定の空間を形成する凸部を有するブリスターパッケージ。
【請求項９】
請求項７に記載のブリスターパッケージにおいて、
前記ブリスターシートは、前記第一切断促進部、前記第二切断促進部及び前記第三切断促進部を取り囲むとともに各膨出部から独立した位置に設けられており、その裏面が前記裏面シートから離間することにより、両者の間に所定の空間を形成する凸部を有するブリスターパッケージ。
【請求項１０】
請求項６ないし９のいずれかに記載のブリスターパッケージにおいて、
当該ブリスターパッケージの外縁のうち、前記第一個別領域及び前記第一裏面シートと前記第二個別領域及び前記第二裏面シートとの境界、並びに前記第一個別領域及び前記第一裏面シートと前記第三個別領域及び前記第三裏面シートとの境界は、それぞれ面取りされているブリスターパッケージ。
【発明の詳細な説明】
【技術分野】
【０００１】
本発明は、洗浄剤、錠剤、あるいは雑貨等の被包装物が複数個まとめて包装されたブリスターパッケージに関するものである。
【背景技術】
【０００２】
従来、複数個の被包装物がまとめて包装されたブリスターパッケージが知られている。例えば、特許文献１には、複数個の被包装物と、前記複数個の被包装物のそれぞれを収容可能な形状の複数の膨出部を有するブリスターシートと、前記複数の膨出部のそれぞれの開口を封止するように前記ブリスターシートの裏面側に接着される裏面シートとを備えるブリスターパッケージが開示されている。このブリスターシートは、第一膨出部〜第四膨出部と、各膨出部をそれぞれ含んだ第一個別領域〜第四個別領域に区切るとともに、当該ブリスターシートの切断を容易にするミシン目とを有する。そして、前記裏面シートは、当該裏面シートを各個別領域に対応する形状の第一裏面シート〜第四裏面シートに区切るとともに、当該裏面シートの切断を容易にするミシン目を有する。前記ブリスターシートに設けられたミシン目及び前記裏面シートに設けられたミシン目は、当該文献１の図１に示されるように、前記ブリスターシート及び前記裏面シートの中心で直交するように設けられている。また、前記裏面シートは、その中央部分に、前記ブリスターシートの裏面側と接着しない非接着領域を有する。この非接着領域は、前記裏面シートに設けられたミシン目の交点を含み、かつ、各膨出部の開口を封止する領域を含まない形状を有する。
【０００３】
このブリスターパッケージから前記被包装物を取り出すには、特許文献１の図３に示されるように、特定の個別領域及びこれに対応する裏面シートを前記ミシン目に沿って切り離し、当該裏面シートにおける前記非接着領域をつまんでこの裏面シートを剥がす。
【先行技術文献】
【特許文献】
【０００４】
【特許文献１】特開昭５０−０８３１９６号公報
【発明の概要】
【発明が解決しようとする課題】
【０００５】
上記特許文献１に記載のブリスターパッケージは、当該ブリスターパッケージから所定の個別領域及びこれに接着された裏面シートが切り離されたとき、当該個別領域及び当該裏面シートは、それぞれそのミシン目がなす角が９０度となる端部を有する。よって、この個別領域及びそれに接着された裏面シートから当該裏面シートを剥がす際、指が前記端部に当たることによって指が当該端部から受ける刺激が大きいという問題があった。
【０００６】
このような不都合を回避するには、図５（ａ）に示すように、各個別領域１０１〜１０４及びそれに接着された各裏面シートにおけるミシン目１０５に挟まれる角部が全て面取りされるように、前記ブリスターシートに設けられるミシン目１０５及び前記裏面シートに設けられるミシン目のそれぞれの交点を含めた所定領域を打ち抜くことが考えられる。このようにすれば、図５（ｂ）に示すように、当該ブリスターパッケージから、例えば第一個別領域１０１及びこれに接着された裏面シートがミシン目１０５に沿って切り離されたとき、そのミシン目１０５に挟まれる角部１０６（打ち抜かれているので二点鎖線で示す）が除去されているので、この部分から裏面シートを剥がすことによって、指の受ける刺激が緩和される。しかしながら、このようにすれば、製造工程上で細かい抜き屑、すなわち、各角部１０６が打ち抜かれたものが多数発生し、しかも、その発生した抜き屑を製造工程において全て除去することは容易ではない。さらに、各ミシン目１０５の交点を含めた所定領域が打ち抜かれるため、前記非接着領域の確保が困難となる。
【０００７】
この発明は、上記のような課題を解決するためになされたものであり、各個別領域及びそれに接着された裏面シートから当該裏面シートを剥がす際、その裏面シートが剥がしやすく、かつ、その際に指の受ける刺激が大きくなく、さらに、製造工程において細かい抜き屑が発生することのないブリスターパッケージを提供することを目的とする。
【課題を解決するための手段】
【０００８】
前記課題を解決するための手段として、本発明は、複数個の被包装物と、前記複数個の被包装物のうちの一個以上の被包装物を収容可能な形状の複数の膨出部を有するブリスターシートと、前記複数の膨出部のそれぞれの開口を封止するように前記ブリスターシートの裏面側に接着される裏面シートとを備えるブリスターパッケージであって、前記ブリスターシートは、前記複数の膨出部として、第一膨出部と、前記第一膨出部と特定方向に隣接する第二膨出部と、前記第一膨出部と前記特定方向とは異なる方向に隣接する第三膨出部とを含み、さらに、前記第一膨出部を含む第一個別領域と前記第二膨出部を含む第二個別領域との間での当該ブリスターシートの切断を誘導する第一切断誘導部と、前記第三膨出部を含む第三個別領域と前記第一個別領域との間での当該ブリスターシートの切断を誘導する第二切断誘導部と、前記第二個別領域と前記第三個別領域との間に介在する介在部と、前記介在部と前記第一膨出部との間に形成されており、前記第一切断誘導部及び前記第二切断誘導部に挟まれる前記第一個別領域の角部が面取りされる形状に切り込まれた第一切込部と、前記介在部を、前記第二個別領域から前記第三個別領域へ向かって突出する形状の第二個別領域側突出部と、前記第三個別領域から前記第二個別領域に向かって突出する形状の第三個別領域側突出部とに分断するとともに、その切断面が滑らかに連続する面となるように切り込まれた第二切込部とを含み、前記裏面シートは、前記第一切断誘導部と対向する部分に形成されており、前記第一切断誘導部の切断に合わせて、前記第一膨出部の開口を封止する第一裏面シートと前記第二膨出部の開口を封止する第二裏面シートとの間で当該裏面シートが切断される第一裏面切断部と、前記第二切断誘導部と対向する部分に形成されており、前記第二切断誘導部の切断に合わせて、前記第三膨出部の開口を封止する第三裏面シートと前記第一裏面シートとの間で当該裏面シートが切断される第二裏面切断部と、前記第一切込部と対向する部分に形成されており当該第一切込部と同形状を有する第一裏面切込部と、前記第二切込部と対向する部分に形成されており当該第二切込部と同形状を有する第二裏面切込部と、前記ブリスターシートの裏面側と接着されていない非接着領域とを含み、前記非接着領域は、前記第一裏面切込部及び前記第二裏面切込部を取り囲み、かつ、各膨出部の開口を封止する領域を含まない形状を有するブリスターパッケージを提供する。
【０００９】
この発明のブリスターパッケージによれば、当該ブリスターパッケージから、前記第一個別領域及び前記第一裏面シートを切り離した場合、その第一裏面シートを剥がすときに指が受ける刺激を緩和させ、かつ、その裏面シートの剥離を容易にすることができる。詳細には、前記第一切断誘導部及び前記第一裏面切断部、並びに前記第二切断誘導部及び前記第二裏面切断部が切断されて、前記第一個別領域及び前記第一裏面シートが切り離された場合において、その第一裏面シートを剥がすとき、当該第一裏面シートは前記第一個別領域とは接着されていない非接着領域を有するので、この非接着領域をつまむように促される。そして、前記第一個別領域におけるこの非接着領域と対向する部分は、面取りされるように切り込まれた第一切込部となっているので、前記第一裏面シートを剥がす際に当該第一切込部の切断面に指が当たったとしても、指が受ける刺激が緩和される。
【００１０】
さらに、この発明のブリスターパッケージによれば、当該ブリスターパッケージから、前記第二個別領域及び前記第二裏面シート、あるいは、前記第三個別領域及び前記第三裏面シートを切り離した場合においても、その裏面シートを剥がすときに指が受ける刺激を緩和させ、かつ、その裏面シートの剥離を容易にすることができる。詳細には、前記第一切断誘導部及び前記第一裏面切断部が切断されて、前記第二個別領域及び前記第二裏面シートが切り離された場合において、その第二裏面シートを剥がすとき、当該第二裏面シートは前記第二個別領域とは接着されていない非接着領域を有するので、この非接着領域をつまむように促される。そして、前記第二個別領域におけるこの非接着領域と対向する部分は、滑らかな切断面を有する第二切込部となっているので、前記第二裏面シートを剥がす際に当該第二切込部の切断面に指が当たったとしても、指が受ける刺激が緩和される。しかも、前記第二裏面シートの非接着領域は、前記介在部における前記第二個別領域側突出部と対向する部分にあることから、十分なつまみ代が確保されており、当該第二裏面シートの剥離が一層容易となる。このことは、前記第三個別領域及び前記第三裏面シートを切り離した場合においても同様である。
【００１１】
加えて、この発明のブリスターパッケージは、前記第二切込部が、前記介在部を二つの領域に分断するように、すなわち、前記ブリスターシートに前記第二個別領域側突出部と前記第三個別領域側突出部とを残すように設けられることから、製造工程において抜き屑が発生しない。
【００１２】
この場合において、前記ブリスターシートは、前記複数の膨出部としてさらに、前記第二膨出部と前記第三膨出部とを結ぶ直線に対して前記第一膨出部とは反対側に設けられた第四膨出部を含むとともに、この第四膨出部を含みかつ前記第二個別領域、前記第三個別領域及び前記介在部のすべてと隣接する第四個別領域と前記第二個別領域との間での当該ブリスターシートの切断を誘導する第三切断誘導部と、前記第四個別領域と前記第三個別領域との間での当該ブリスターシートの切断を誘導する第四切断誘導部と、前記第一切込部との間に前記介在部を残しながら、前記第三切断誘導部及び前記第四切断誘導部に挟まれる前記第四個別領域の角部が面取りされる形状に切り込まれた第三切込部とをさらに含み、前記第二切込部は、前記第一切込部から前記第三切込部に至る形状を有しており、前記裏面シートは、前記第三切断誘導部と対向する部分に形成されており、前記第三切断誘導部の切断に合わせて、前記第四膨出部の開口を封止する第四裏面シートと前記第二裏面シートの間で当該裏面シートが切断される第三裏面切断部と、前記第四切断誘導部と対向する部分に形成されており、前記第四切断誘導部の切断に合わせて、前記第四裏面シートと前記第二裏面シートの間で当該裏面シートが切断される第四裏面切断部と、前記第三切込部と対向する部分に形成されており当該第三切込部と同形状を有する第三裏面切込部とをさらに含み、前記非接着領域が前記第三裏面切込部をも取り囲む形状を有することが好ましい。
【００１３】
このようにすれば、上記と同様の効果を得ながら、前記第四個別領域及び前記第四裏面シートを追加することができる。すなわち、当該ブリスターパッケージから、前記第一個別領域及び前記第一裏面シート、あるいは、前記第四個別領域及び前記第四裏面シートのいずれを切り離した場合であっても、その裏面シートを剥がすときに指が受ける刺激を緩和させ、かつ、その裏面シートの剥離を容易にすることができる。詳細には、前記第一切断誘導部及び前記第一裏面切断部、並びに前記第二切断誘導部及び前記第二裏面切断部が切断されて、前記第一個別領域及び前記第一裏面シートが切り離された場合において、その第一裏面シートを剥がすとき、あるいは、前記第三切断誘導部及び前記第三裏面切断部、並びに前記第四切断誘導部及び前記第四裏面切断部が切断されて、前記第四個別領域及び前記第四裏面シートが切り離された場合において、その第四裏面シートを剥がすとき、これら第一裏面シート及び第四裏面シートは、それぞれその対応する個別領域とは接着されていない非接着領域を有するので、この非接着領域をつまむように促される。そして、前記第一裏面シート、あるいは、前記第四裏面シートを剥がすときに指が接触する部分、すなわち、前記第一切断誘導部と前記第二切断誘導部とに挟まれた前記第一個別領域の角部、あるいは、前記第三切断誘導部と前記第四切断誘導部とに挟まれた前記第四個別領域の角部は、いずれも面取りされているので、指が受ける刺激が緩和される。
【００１４】
さらに、この発明のブリスターパッケージによれば、当該ブリスターパッケージから、前記第二個別領域及び前記第二裏面シート、あるいは、前記第三個別領域及び前記第三裏面シートを切り離した場合においても、その裏面シートを剥がすときに指が受ける刺激を緩和させ、かつ、その裏面シートの剥離を容易にすることができる。詳細には、前記第一切込部及び前記第三切込部が、前記介在部を残すように形成されており、しかも前記第二切込部がこの介在部を分断するように形成されている。よって、前記第二個別領域及び前記第二裏面シートから当該第二裏面シートを剥がすとき、あるいは、前記第三個別領域及び前記第三裏面シートから当該第三裏面シートを剥がすときのいずれであっても、十分なつまみ代、すなわち、前記裏面シートにおける前記第二個別領域側突出部と対向する部分、あるいは、前記第三個別領域側突出部と対向する部分が確保されるので、その裏面シートを容易に剥がすことができる。そして、前記第二裏面シート、あるいは、前記第三裏面シートを剥がすときに指が接触する部分、すなわち、前記第二個別領域側突出部の端面、あるいは、前記第三個別領域側突出部の端面は、いずれも滑らかに連続する面となっているので、指が受ける刺激が緩和される。
【００１５】
加えて、この発明のブリスターパッケージは、前記第一切込部及び前記第三切込部が、前記介在部を残すように形成されており、しかも前記第二切込部がこの介在部を分断するように形成されていることから、すなわち、各切込部が前記ブリスターシートに前記第二個別領域側突出部と前記第三個別領域側突出部とを残すように設けられることから、製造工程において抜き屑が発生しない。
【００１６】
また、本発明において、前記ブリスターシートは、前記第二切込部を取り囲むとともに各膨出部から独立した位置に設けられており、その裏面が前記裏面シートから離間することにより、両者の間に所定の空間を形成する凸部を有することが好ましい。
【００１７】
このようにすれば、前記第二個別領域及び前記第二裏面シート、あるいは、前記第三個別領域及び前記第三裏面シートが切り離されたとき、前記凸部のうち前記第二切込部を取り囲む部分と前記第二裏面シート、あるいは、前記第三裏面シートとの間には空間が形成される。よって、その空間に指の一部を挿入することにより、前記第二裏面切込部を取り囲む部分、すなわち、前記第二個別領域側突出部と対向する部分、あるいは、前記第三個別領域側突出部と対向する部分をつまみやすくなる。また、前記ブリスターシートの裏面側に前記裏面シートを接着する際、当該ブリスターシートと当該裏面シートとの位置決めに多少の誤差があったとしても、つまり、前記第二切込部の裏面側に多少の接着領域が存在したとしても、当該第二切込部を取り囲む部分の裏面側と前記裏面シートとを非接着とすることができる。
【００１８】
また、本発明において、前記ブリスターシートは、前記第一切込部、前記第二切込部及び前記第三切込部を取り囲むとともに各膨出部から独立した位置に設けられており、その裏面が前記裏面シートから離間することにより、両者の間に所定の空間を形成する凸部を有することが好ましい。
【００１９】
このようにすれば、いずれの個別領域及びこれに接着された裏面シートが切り離された場合であっても、前記凸部のうちいずれかの切込部を取り囲む部分と前記裏面シートとの間には空間が形成される。よって、その空間に指の一部を挿入することにより、前記裏面シートにおけるいずれかの裏面切込部を取り囲む部分をつまみやすくなる。また、前記ブリスターシートの裏面側に前記裏面シートを接着する際、当該ブリスターシートと当該裏面シートとの位置決めに多少の誤差があったとしても、すなわち、いずれかの切込部の裏面側に多少の接着領域が存在したとしても、当該切込部を取り囲む部分の裏面側と前記裏面シートとを非接着とすることができる。
【００２０】
また、本発明において、当該ブリスターパッケージの外縁のうち、前記第一個別領域及び前記第一裏面シートと前記第二個別領域及び前記第二裏面シートとの境界、並びに前記第一個別領域及び前記第一裏面シートと前記第三個別領域及び前記第三裏面シートとの境界は、それぞれ面取りされていることが好ましい。
【００２１】
このようにすれば、各個別領域及び各裏面シートを切り離したときに、その切り離された個別領域及び裏面シートの外縁に面取りされた部分を増やすことができる。
【００２２】
また、本発明は、複数個の被包装物と、前記複数個の被包装物のうちの一個以上の被包装物を収容可能な形状の複数の膨出部を有するブリスターシートと、前記複数の膨出部のそれぞれの開口を封止するように前記ブリスターシートの裏面側に接着される裏面シートとを備えるブリスターパッケージであって、前記ブリスターシートは、前記複数の膨出部として、第一膨出部と、前記第一膨出部と特定方向に隣接する第二膨出部と、前記第一膨出部と前記特定方向とは異なる方向に隣接する第三膨出部とを含み、さらに、前記第一膨出部を含む第一個別領域と前記第二膨出部を含む第二個別領域との間での当該ブリスターシートの切断を誘導する第一切断誘導部と、前記第三膨出部を含む第三個別領域と前記第一個別領域との間での当該ブリスターシートの切断を誘導する第二切断誘導部と、前記第二個別領域と前記第三個別領域との間に介在する介在部と、前記介在部と前記第一膨出部との間に形成されており、前記第一切断誘導部及び前記第二切断誘導部に挟まれる前記第一個別領域の角部が面取りされる形状となるように当該ブリスターシートの切断を促進する第一切断促進部と、前記介在部を、前記第二個別領域から前記第三個別領域へ向かって突出する形状の第二個別領域側突出部と、前記第三個別領域から前記第二個別領域に向かって突出する形状の第三個別領域側突出部とに分断するとともに、その切断面が滑らかに連続する面となるように当該ブリスターシートの切断を促進する第二切断促進部とを含み、前記裏面シートは、前記第一切断誘導部と対向する部分に形成されており、前記第一切断誘導部の切断に合わせて、前記第一膨出部の開口を封止する第一裏面シートと前記第二膨出部の開口を封止する第二裏面シートとの間で当該裏面シートが切断される第一裏面切断部と、前記第二切断誘導部と対向する部分に形成されており、前記第二切断誘導部の切断に合わせて、前記第三膨出部の開口を封止する第三裏面シートと前記第一裏面シートとの間で当該裏面シートが切断される第二裏面切断部と、前記第一切断促進部と対向する部分に形成されており、前記第一切断促進部の切断に合わせて当該裏面シートが切断される第一裏面切断促進部と、前記第二切断促進部と対向する部分に形成されており、前記第二切断促進部の切断に合わせて当該裏面シートが切断される第二裏面切断促進部と、前記ブリスターシートの裏面側と接着されていない非接着領域とを含み、前記非接着領域は、前記第一裏面切断促進部及び前記第二裏面切断促進部を取り囲み、かつ、各膨出部の開口を封止する領域を含まない形状を有するブリスターパッケージを提供する。
【００２３】
この発明のブリスターパッケージによれば、当該ブリスターパッケージから、前記第一個別領域及び前記第一裏面シートを切り離した場合、その第一裏面シートを剥がすときに指が受ける刺激を緩和させ、かつ、その裏面シートの剥離を容易にすることができる。詳細には、前記第一切断誘導部及び前記第一裏面切断部、前記第二切断誘導部及び前記第二裏面切断部、並びに前記第一切断促進部及び前記第一裏面切断促進部が切断されて、前記第一個別領域及び前記第一裏面シートが切り離された場合において、その第一裏面シートを剥がすとき、当該第一裏面シートは前記第一個別領域とは接着されていない非接着領域を有するので、この非接着領域をつまむように促される。そして、前記第一個別領域におけるこの非接着領域と対向する部分は、第一切断促進部で切断されて面取りされた形状となっているので、前記第一裏面シートを剥がす際に当該第一切断促進部の切断面に指が当たったとしても、指が受ける刺激が緩和される。
【００２４】
さらに、この発明のブリスターパッケージによれば、当該ブリスターパッケージから、前記第二個別領域及び前記第二裏面シート、あるいは、前記第三個別領域及び前記第三裏面シートを切り離した場合においても、その裏面シートを剥がすときに指が受ける刺激を緩和させ、かつ、その裏面シートの剥離を容易にすることができる。詳細には、前記第一切断誘導部及び前記第一裏面切断部が切断されて、前記第二個別領域及び前記第二裏面シートが切り離された場合において、その第二裏面シートを剥がすとき、当該第二裏面シートは前記第二個別領域とは接着されていない非接着領域を有するので、この非接着領域をつまむように促される。そして、前記第二個別領域におけるこの非接着領域と対向する部分は、第二切断促進部で切断された滑らかな切断面となっているので、前記第二裏面シートを剥がす際に当該第二切断促進部の切断面に指が当たったとしても、指が受ける刺激が緩和される。しかも、前記第二裏面シートの非接着領域は、前記介在部における前記第二個別領域側突出部と対向する部分にあることから、十分なつまみ代が確保されており、当該第二裏面シートの剥離が一層容易となる。このことは、前記第三個別領域及び前記第三裏面シートを切り離した場合においても同様である。
【００２５】
加えて、この発明のブリスターパッケージは、前記第二切断促進部が、前記介在部を二つの領域に分断するように、すなわち、前記ブリスターシートに前記第二個別領域側突出部と前記第三個別領域側突出部とを残すように設けられることから、製造工程において抜き屑が発生しない。
【００２６】
この場合において、前記ブリスターシートは、前記複数の膨出部としてさらに、前記第二膨出部と前記第三膨出部とを結ぶ直線に対して前記第一膨出部とは反対側に設けられた第四膨出部を含むとともに、この第四膨出部を含みかつ前記第二個別領域、前記第三個別領域及び前記介在部のすべてと隣接する第四個別領域と前記第二個別領域との間での当該ブリスターシートの切断を誘導する第三切断誘導部と、前記第四個別領域と前記第三個別領域との間での当該ブリスターシートの切断を誘導する第四切断誘導部と、前記第一切断促進部との間に前記介在部を残しながら、前記第三切断誘導部及び前記第四切断誘導部に挟まれる前記第四個別領域の角部が面取りされる形状となるように当該ブリスターシートの切断を促進する第三切断促進部とをさらに含み、前記第二切断促進部は、前記第一切断促進部から前記第三切断促進部に至る形状を有しており、前記裏面シートは、前記第三切断誘導部と対向する部分に形成されており、前記第三切断誘導部の切断に合わせて、前記第四膨出部の開口を封止する第四裏面シートと前記第二裏面シートの間で当該裏面シートが切断される第三裏面切断部と、前記第四切断誘導部と対向する部分に形成されており、前記第四切断誘導部の切断に合わせて、前記第四裏面シートと前記第二裏面シートの間で当該裏面シートが切断される第四裏面切断部と、前記第三切断促進部と対向する部分に形成されており、前記第三切断促進部の切断に合わせて当該裏面シートが切断される第三裏面切断促進部とをさらに含み、前記非接着領域が前記第三裏面切断促進部をも取り囲む形状を有することが好ましい。
【００２７】
このようにすれば、上記と同様の効果を得ながら、前記第四個別領域及び前記第四裏面シートを追加することができる。すなわち、当該ブリスターパッケージから、前記第一個別領域及び前記第一裏面シート、あるいは、前記第四個別領域及び前記第四裏面シートのいずれを切り離した場合であっても、その裏面シートを剥がすときに指が受ける刺激を緩和させ、かつ、その裏面シートの剥離を容易にすることができる。詳細には、前記第一切断誘導部及び前記第一裏面切断部、前記第二切断誘導部及び前記第二裏面切断部、並びに前記第一切断促進部及び前記第一裏面切断促進部が切断されて、前記第一個別領域及び前記第一裏面シートが切り離された場合において、その第一裏面シートを剥がすとき、あるいは、前記第三切断誘導部及び前記第三裏面切断部、前記第四切断誘導部及び前記第四裏面切断部、並びに前記第三切断促進部及び前記第三裏面切断促進部が切断されて、前記第四個別領域及び前記第四裏面シートが切り離された場合において、その第四裏面シートを剥がすとき、これら第一裏面シート及び第四裏面シートは、それぞれその対応する個別領域とは接着されていない非接着領域を有するので、この非接着領域をつまむように促される。そして、前記第一裏面シート、あるいは、前記第四裏面シートを剥がすときに指が接触する部分、すなわち、前記第一切断誘導部と前記第二切断誘導部とに挟まれた前記第一個別領域の角部、あるいは、前記第三切断誘導部と前記第四切断誘導部とに挟まれた前記第四個別領域の角部は、いずれも面取りされているので、指が受ける刺激が緩和される。
【００２８】
さらに、この発明のブリスターパッケージによれば、当該ブリスターパッケージから、前記第二個別領域及び前記第二裏面シート、あるいは、前記第三個別領域及び前記第三裏面シートを切り離した場合においても、その裏面シートを剥がすときに指が受ける刺激を緩和させ、かつ、その裏面シートの剥離を容易にすることができる。詳細には、前記第一切断促進部及び前記第三切断促進部が、前記介在部を残すように形成されており、しかも前記第二切断促進部がこの介在部を横断するように形成されている。よって、前記第二個別領域及び前記第二裏面シートから当該第二裏面シートを剥がすとき、あるいは、前記第三個別領域及び前記第三裏面シートから当該第三裏面シートを剥がすときのいずれであっても、十分なつまみ代、すなわち、前記裏面シートにおける前記第二個別領域側突出部と対向する部分、あるいは、前記第三個別領域側突出部と対向する部分が確保されるので、その裏面シートを容易に剥がすことができる。そして、前記第二裏面シート、あるいは、前記第三裏面シートを剥がすときに指が接触する部分、すなわち、前記第二個別領域側突出部の端面、あるいは、前記第三個別領域側突出部の端面は、いずれも滑らかに連続する面となっているので、指が受ける刺激が緩和される。
【００２９】
加えて、この発明のブリスターパッケージは、前記第一切断促進部及び前記第三切断促進部が、前記介在部を残すように形成されており、しかも前記第二切断促進部がこの介在部を横断するように形成されていることから、すなわち、各切断促進部が前記ブリスターシートに前記第二個別領域側突出部と前記第三個別領域側突出部とを残すように設けられることから、製造工程において抜き屑が発生しない。
【００３０】
また、本発明において、前記ブリスターシートは、前記第二切断促進部を取り囲むとともに各膨出部から独立した位置に設けられており、その裏面が前記裏面シートから離間することにより、両者の間に所定の空間を形成する凸部を有することが好ましい。
【００３１】
このようにすれば、前記第二個別領域及び前記第二裏面シート、あるいは、前記第三個別領域及び前記第三裏面シートが切り離されたとき、前記凸部のうち前記第二切断促進部を取り囲む部分と前記第二裏面シート、あるいは、前記第三裏面シートとの間には空間が形成される。よって、その空間に指の一部を挿入することにより、前記第二裏面切断促進部を取り囲む部分、すなわち、前記第二個別領域側突出部と対向する部分、あるいは、前記第三個別領域側突出部と対向する部分をつまみやすくなる。また、前記ブリスターシートの裏面側に前記裏面シートを接着する際、当該ブリスターシートと当該裏面シートとの位置決めに多少の誤差があったとしても、つまり、前記第二切断促進部の裏面側に多少の接着領域が存在したとしても、当該第二切断促進部を取り囲む部分の裏面側と前記裏面シートとを非接着とすることができる。
【００３２】
また、本発明において、前記ブリスターシートは、前記第一切断促進部、前記第二切断促進部及び前記第三切断促進部を取り囲むとともに各膨出部から独立した位置に設けられており、その裏面が前記裏面シートから離間することにより、両者の間に所定の空間を形成する凸部を有することが好ましい。
【００３３】
このようにすれば、いずれの個別領域及びこれに接着された裏面シートが切り離された場合であっても、前記凸部のうちいずれかの切断促進部を取り囲む部分と前記裏面シートとの間には空間が形成される。よって、その空間に指の一部を挿入することにより、前記裏面シートにおけるいずれかの裏面切断促進部を取り囲む部分をつまみやすくなる。また、前記ブリスターシートの裏面側に前記裏面シートを接着する際、当該ブリスターシートと当該裏面シートとの位置決めに多少の誤差があったとしても、すなわち、いずれかの切断促進部の裏面側に多少の接着領域が存在したとしても、当該切断促進部を取り囲む部分の裏面側と前記裏面シートとを非接着とすることができる。
【００３４】
また、本発明において、当該ブリスターパッケージの外縁のうち、前記第一個別領域及び前記第一裏面シートと前記第二個別領域及び前記第二裏面シートとの境界、並びに前記第一個別領域及び前記第一裏面シートと前記第三個別領域及び前記第三裏面シートとの境界は、それぞれ面取りされていることが好ましい。
【００３５】
このようにすれば、各個別領域及び各裏面シートを切り離したときに、その切り離された個別領域及び裏面シートの外縁に面取りされた部分を増やすことができる。
【発明の効果】
【００３６】
以上のように、本発明によれば、各個別領域及びそれに接着された裏面シートから当該裏面シートを剥がす際、その裏面シートが剥がしやすく、かつ、その際に指の受ける刺激が大きくなく、さらに、製造工程において細かい抜き屑が発生することのないブリスターパッケージを提供することができる。
【図面の簡単な説明】
【００３７】
【図１】本発明の一実施形態のブリスターパッケージの平面図である。
【図２】図１に示したブリスターパッケージのＩＩ−ＩＩ線での断面図である。
【図３】図１に示したブリスターパッケージにおける裏面シートの平面図である。
【図４】図１に示したブリスターパッケージの第三個別領域及び第三裏面シートの斜視図である。
【図５】（ａ）特許文献１に記載される従来のブリスターパッケージのミシン目の交点が打ち抜かれたものを示す図である。（ｂ）（ａ）の第一個別領域１０１及びこれに接着された裏面シートがミシン目１０５に沿って切り離されたものを示す図である。
【発明を実施するための形態】
【００３８】
本発明の好ましい実施形態について、図１〜図４を参照しながら説明する。なお、以下の説明における、上下左右の方向は、図１を基準としている。
【００３９】
（第一実施形態）
図１及び図２に示すように、本実施形態におけるブリスターパッケージ１０は、複数個の被包装物２０と、複数の膨出部を有するブリスターシート３０と、ブリスターシート３０の裏面側に接着される裏面シート４０とを備える。なお、図１には、被包装物２０及び膨出部がそれぞれ１２個ずつ設けられた例を示すが、これらの数は１２に限られない。また、以下、１２個の膨出部のうちの４個（図１では右下領域で縦横に２個ずつ並んだ４個）を例にとって説明するが、残りの部分についても同様である。
【００４０】
被包装物２０としては、洗浄剤、薬剤、雑貨等が挙げられるが、特に、包装された状態において、その外観を視認する必要性の高いものが選ばれる。
【００４１】
ブリスターシート３０は、透明ないし半透明の材料、例えばポリプロピレン（ＰＰ）樹脂からなり、真空成形等により成形される。図１に示すように、ブリスターシート３０は、複数の膨出部として、第一膨出部３１ａ、第二膨出部３２ａ、第三膨出部３３ａ及び第四膨出部３４ａを含む。またブリスターシート３０は、第一膨出部３１ａを含む第一個別領域３１と、第二膨出部３２ａを含む第二個別領域３２と、第三膨出部３３ａを含む第三個別領域３３と、第四膨出部３４ａを含む第四個別領域３４と、各個別領域の間に介在する介在部３５とを含む。そして、このブリスターシート３０は、当該ブリスターシート３０の切断を誘導する第一切断誘導部３６ａと、第二切断誘導部３６ｂと、第三切断誘導部３６ｃと、第四切断誘導部３６ｄとを含む。さらに、このブリスターシート３０は、当該ブリスターシート３０の厚さ方向に切り込まれた第一切込部３７ａ、第二切込部３７ｂ及び第三切込部３７ｃを含む。なお、図１に示す４個の個別領域の位置は絶対的なものではなく相対的なものである。つまり、例えば、図１に示した第三個別領域３３を第一個別領域３１とすれば、第二個別領域３２は図１における第四個別領域３４の位置となり、第三個別領域３３及び第四個別領域３４は、それぞれ図１における第三個別領域３３及び第四個別領域３４の上に隣接する位置となる。
【００４２】
各膨出部３１ａ〜３４ａは、それぞれ開口を有し、この開口から前記被包装物２０を受け入れて当該被包装物２０を収容可能な形状を有する。また、第一膨出部３１ａ及び第二膨出部３２ａ、並びに第三膨出部３３ａ及び第四膨出部３４ａは、それぞれ左右方向に隣接しており、第一膨出部３１ａ及び第三膨出部３３ａ、並びに第二膨出部３２ａ及び第四膨出部３４ａは、それぞれ上下方向に隣接している。なお、各膨出部３１ａ〜３４ａは、それぞれが単一の被包装物２０を収容する形状に限らず、複数個の被包装物２０を収容可能な形状であってもよい。
【００４３】
第一個別領域３１は、第一膨出部３１ａと、その周囲に形成された第一鍔部３１ｂとを含む。この第一鍔部３１ｂは、第一膨出部３１ａの周囲から外側に張り出した平坦な形状を有する。また第一鍔部３１ｂは、第一切断誘導部３６ａと第二切断誘導部３６ｂとに挟まれる角部（図１における左上）に形成された第一凸部３１ｃと、第一凸部３１ｃと隣接する角部（図１における左下）に形成された第一面取部３１ｄと、第一凸部３１ｃと隣接する角部のうち第一面取部３１ｄとは異なる角部（図１における右上）に形成された第二面取部３１ｅと、第一膨出部３１ａを挟んで第一凸部３１ｃと反対側の角部（図１における右下）に形成された第二凸部３１ｆとを有する。
【００４４】
第一凸部３１ｃは、第一切断誘導部３６ａと第二切断誘導部３６ｂとに挟まれる角部、すなわち、第一個別領域３１のうち介在部３５に隣接する部位に形成される。第一凸部３１ｃは、裏面シート４０から離間する方向に突出する形状を有する。具体的には、第一膨出部３１ａの周囲に形成された平坦な面から起立する起立部と、この起立部の先端から第一膨出部３１ａとは異なる方向に突出する第一突出部とからなる。これにより、第一凸部３１ｃの裏面と裏面シート４０との間には空間が形成される。また、この第一凸部３１ｃの先端部、すなわち、前記第一突出部の先端部は、面取りされた形状を有する。第一面取部３１ｄは、第一鍔部３１ｂの外縁における第二個別領域３２側に位置する角部のうち、第一凸部３１ｃとは異なる側に形成される。第二面取部３１ｅは、第一鍔部３１ｂの外縁における第三個別領域３３側に位置する角部のうち、第一凸部３１ｃとは異なる側に形成される。第二凸部３１ｆは、裏面シート４０から離間する方向に突出する形状を有する。具体的には、第一膨出部３１ａの周囲に形成された平坦な面から起立する起立部と、この起立部の先端から第一膨出部３１ａとは異なる方向に突出する第二突出部とからなる。これにより、第二凸部３１ｆの裏面と裏面シート４０との間には空間が形成される。また、この第二凸部３１ｆの先端部、すなわち、前記第二突出部の先端部は、面取りされた形状を有する。
【００４５】
第二個別領域３２は、第二膨出部３２ａと、その周囲に形成された第二鍔部３２ｂとを含む。この第二鍔部３２ｂは、第二膨出部３２ａの周囲から外側に張り出した平坦な形状を有する。また第二鍔部３２ｂは、第一切断誘導部３６ａと第三切断誘導部３６ｃとに挟まれる角部（図１における右上）に形成された第一凸部３２ｃと、第一凸部３２ｃと隣接する角部（図１における右下）に形成された第一面取部３２ｄと、第二膨出部３２ａを挟んで第一凸部３２ｃと反対側の角部（図１における左下）に形成された第二面取部３２ｅと、第一凸部３２ｃと隣接する角部のうち第一面取部３２ｄとは異なる角部（図１における左上）に形成された第二凸部３２ｆとを有する。
【００４６】
第一凸部３２ｃは、第一切断誘導部３６ａと第三切断誘導部３６ｃとに挟まれる角部、すなわち、第二個別領域３２のうち介在部３５に隣接する部位に形成される。第一凸部３２ｃは、裏面シート４０から離間する方向に突出する形状を有する。具体的には、第二膨出部３２ａの周囲に形成された平坦な面から起立する起立部と、この起立部の先端から第二膨出部３２ａとは異なる方向に突出する第一突出部とからなる。これにより、第一凸部３２ｃの裏面と裏面シート４０との間には空間が形成される。また、この第一凸部３２ｃの先端部、すなわち、前記第一突出部の先端部は、介在部３５を構成する第二個別領域側突出部３５ａとつながっている。第一面取部３２ｄは、第二鍔部３２ｂの外縁における第一個別領域３１側に位置する角部のうち、第一凸部３２ｃとは異なる側に形成される。第二凸部３２ｆは、第二鍔部３２ｂの外縁における第四個別領域３４側に位置する角部のうち、第一凸部３２ｃとは異なる側に形成される。この第二凸部３２ｆは、前記第一凸部３１ｃと同形状を有する。
【００４７】
第三個別領域３３は、図４に示すように、第三膨出部３３ａと、その周囲に形成された第三鍔部３３ｂとを含む。この第三鍔部３３ｂは、第三膨出部３３ａの周囲から外側に張り出した平坦な形状を有する。また第三鍔部３３ｂは、第二切断誘導部３６ｂと第四切断誘導部３６ｄとに挟まれる角部（図１における左下）に形成された第一凸部３３ｃと、第一凸部３３ｃと隣接する角部（図１における右下）に形成された第一面取部３３ｄと、第三膨出部３３ａを挟んで第一凸部３３ｃと反対側の角部（図１における右上）に形成された第二面取部３３ｅと、第一凸部３３ｃと隣接する角部のうち第一面取部３３ｄとは異なる角部（図１における左上）に形成された第二凸部３３ｆとを有する。
【００４８】
第一凸部３３ｃは、第二切断誘導部３６ｂと第四切断誘導部３６ｄとに挟まれる角部、すなわち、第三個別領域３３のうち介在部３５に隣接する部位に形成される。第一凸部３３ｃは、裏面シート４０から離間する方向に突出する形状を有する。具体的には、第三膨出部３３ａの周囲に形成された平坦な面から起立する起立部と、この起立部の先端から第三膨出部３３ａとは異なる方向に突出する第一突出部とからなる。これにより、第一凸部３３ｃの裏面と裏面シート４０との間には空間が形成される。また、この第一凸部３３ｃの先端部、すなわち、前記第一突出部の先端部は、介在部３５を構成する第三個別領域側突出部３５ｂとつながっている。第一面取部３３ｄは、第三鍔部３３ｂの外縁における第一個別領域３１側に位置する角部のうち、第一凸部３３ｃとは異なる側に形成される。第二凸部３３ｆは、第三鍔部３３ｂの外縁における第四個別領域３４側に位置する角部のうち、第一凸部３３ｃとは異なる側に形成される。この第二凸部３３ｆは、前記第一凸部３１ｃ及び前記第二凸部３２ｆと同形状を有する。
【００４９】
第四個別領域３４は、第四膨出部３４ａと、その周囲に形成された第四鍔部３４ｂとを含む。この第四鍔部３４ｂは、第四膨出部３４ａの周囲から外側に張り出した平坦な形状を有する。また第四鍔部３４ｂは、第三切断誘導部３６ｃと第四切断誘導部３６ｄとに挟まれる角部（図１における右下）に形成された第一凸部３４ｃと、第一凸部３４ｃと隣接する角部（図１における左下及び右上）に形成された第二凸部３４ｄ及び第三凸部３４ｅと、第四膨出部３４ａを挟んで第一凸部３４ｃと反対側の角部（図１における左上）に形成された第四凸部３４ｆとを有する。
【００５０】
第一凸部３４ｃは、第三切断誘導部３６ｃと第四切断誘導部３６ｄとに挟まれる角部、すなわち、第四個別領域３４のうち介在部３５に隣接する部位に形成される。第一凸部３４ｃは、裏面シート４０から離間する方向に突出する形状を有する。具体的には、第四膨出部３４ａの周囲に形成された平坦な面から起立する起立部と、この起立部の先端から第四膨出部３４ａとは異なる方向に突出する第一突出部とからなる。これにより、第一凸部３４ｃの裏面と裏面シート４０との間には空間が形成される。また、この第一凸部３４ｃの先端部、すなわち、前記第一突出部の先端部は、面取りされた形状を有する。第二凸部３４ｄは、第四鍔部３４ｂの外縁における第二個別領域３２側に位置する角部のうち、第一凸部３４ｃとは異なる側に形成され、前記第一凸部３３ｃと同形状を有する。第三凸部３４ｅは、第四鍔部３４ｂの外縁における第三個別領域３３側に位置する角部のうち、第一凸部３４ｃとは異なる側に形成され、前記第一凸部３２ｃと同形状を有する。第四凸部３４ｆは、前記第一凸部３１ｃ、前記第二凸部３２ｆ、及び前記第二凸部３３ｆと同形状を有する。
【００５１】
なお、前記各凸部３１ｃ〜３４ｃは、当該凸部の裏面側に位置する裏面シート４０との非接着状態が確保されていれば、裏面シート４０と離間する形状ではなく、当該裏面シート４０と接触する平坦な形状とされてもよい。
【００５２】
介在部３５は、第一個別領域３１と第四個別領域３４との間、かつ第二個別領域３２と第三個別領域３３との間に介在する。つまり、介在部３５は、全ての個別領域３１〜３４に取り囲まれる位置に形成される。この介在部３５は、第二個別領域３２とつながる第二個別領域側突出部３５ａと、第三個別領域３３とつながる第三個別領域側突出部３５ｂとからなる。第二個別領域側突出部３５ａ及び第三個別領域側突出部３５ｂの境界は、それぞれ面取りされた形状を有し、互いに接触している。この介在部３５は、その第二個別領域側突出部３５ａが前記第一突出部とつながっており、その第三個別領域側突出部３５ｂが前記第一突出部とつながっているので、その裏面が裏面シート４０から離間している。
【００５３】
第一切断誘導部３６ａは、第一個別領域３１と第二個別領域３２との間での当該ブリスターシート３０の切断を誘導し、第二切断誘導部３６ｂは、第一個別領域３１と第三個別領域３３との間での当該ブリスターシート３０の切断を誘導し、第三切断誘導部３６ｃは、第二個別領域３２と第四個別領域３４との間での当該ブリスターシート３０の切断を誘導し、第四切断誘導部３６ｄは、第三個別領域３３と第四個別領域３４との間での当該ブリスターシート３０の切断を誘導する。各切断誘導部としては、ミシン目やスリット、あるいは、各鍔部３１ｂ〜３４ｂの厚みに比べて薄肉とされたもの等が挙げられる。なお、第一切断誘導部３６ａ及び第四切断誘導部３６ｄ、並びに第二切断誘導部３６ｂ及び第三切断誘導部３６ｃは、それぞれ一直線上に並んでおり、これらの直線は直交しているが、これらの直線は直交することなく交差してもよい。
【００５４】
第一切込部３７ａは、介在部３５と第一個別領域３１との境界に設けられる。具体的には、第一切断誘導部３６ａと第二切断誘導部３６ｂとに挟まれる第一個別領域３１の角部を面取りするように設けられる。これにより、前記第一突出部の先端が面取りされた形状となる。また、この第一切込部３７ａが設けられているので、第一切断誘導部３６ａと第二切断誘導部３６ｂとが切断されることにより、第一個別領域３１が他の個別領域から切り離される。
【００５５】
第二切込部３７ｂは、介在部３５を分断するように設けられる。詳細には、第二切込部３７ｂは、介在部３５を第二個別領域側突出部３５ａと第三個別領域側突出部３５ｂとに分断するように当該介在部３５の中間位置に設けられる。この第二切込部３７ｂは、第一切込部３７ａから第三切込部３７ｃに至る形状を有し、その切断面３５ｃは、図４に示すように、角を有することなく滑らかに連続する面となっている。
【００５６】
第三切込部３７ｃは、介在部３５と第四個別領域３４との境界に設けられる。具体的には、第一切込部３７ａとの間に介在部３５を残しながら、第三切断誘導部３６ｃと第四切断誘導部３６ｄとに挟まれる第四個別領域３４の角部を面取りするように設けられる。これにより、前記第一突出部の先端が面取りされた形状となる。
【００５７】
なお、第一切込部３７ａ及び第三切込部３７ｃは直線状ではなく、それぞれ第一膨出部３１ａ及び第四膨出部３４ａから遠ざかる方向に凸となった湾曲形状であってもよい。また、第二切込部３７ｂは、その切断面３５ｃが角を有することなく滑らかに連続する面であれば直線状に切り込まれたものに限らず、例えばＳ字状や波形に切り込まれたものであってもよい。また、図１には、第二切込部３７ｂが介在部３５の中間位置に設けられた例を示すが、この第二切込部３７ｂを設ける位置としては、介在部３５を第二個別領域側突出部３５ａと第三個別領域側突出部３５ｂとに分割可能であれば、当該介在部３５の中間位置に限らない。ただし、この第二切込部３７ｂは、介在部３５の中間位置に設けられることが好ましい。
【００５８】
裏面シート４０は、ブリスターシート３０の裏面側に接着されて各膨出部の開口を封止するものである。この裏面シート４０は、三層構造を有する。すなわち、ポリエチレンテレフタラート（ＰＥＴ）樹脂からなる第一層と、この第一層の表面側に積層されるアルミ箔からなる第二層と、この第二層の表面側に積層されてブリスターシート３０の裏面側に接着される接着層（本実施形態ではＰＰ樹脂）とからなる。また裏面シート４０は、図３に示すように、第一個別領域３１及び第四個別領域３４のそれぞれに対応する形状の第一裏面シート４１及び第四裏面シート４４を含む。そして裏面シート４０は、第二個別領域３２及び第二個別領域側突出部３５ａに対応する形状の第二裏面シート４２と、第三個別領域３３及び第三個別領域側突出部３５ｂに対応する形状の第三裏面シート４３とを含む。またこの裏面シート４０は、第一切断誘導部３６ａ〜第四切断誘導部３６ｄのそれぞれの切断に合わせて当該裏面シート４０が切断される第一裏面切断部４６ａ〜第四裏面切断部４６ｄを含む。さらにこの裏面シート４０は、当該裏面シート４０の厚さ方向に切り込まれた第一裏面切込部４７ａ、第二裏面切込部４７ｂ及び第三裏面切込部４７ｃを含む。
【００５９】
第一裏面シート４１は、図３に示すように、第一膨出部３１ａの開口を塞ぐ形状を有する第一閉塞部４１ａと、この第一閉塞部４１ａを包囲する形状の第一包囲部４１ｂとを有する。第一包囲部４１ｂは、第一非接着領域４１ｃと、第一面取部４１ｄ及び第二面取部４１ｅと、第二非接着領域４１ｆとを有する。第一閉塞部４１ａは、その表面が接着層となっているが、当該部分はブリスターシート３０及び被包装物２０とは接着されない。第一非接着領域４１ｃ及び第二非接着領域４１ｆも、それぞれその表面が接着層となってるが、これらの部分はブリスターシート３０とは接着されない。なお、図３では、第一閉塞部４１ａと第一包囲部４１ｂとの境界を含め、全ての閉塞部とこれを包囲する包囲部との境界を円形の実線で示し、第一非接着領域４１ｃと第一包囲部４１ｂとの境界を含め、全ての非接着領域とそれに隣接する包囲部との境界を直線状の実線で示している。第一非接着領域４１ｃは、第一凸部３１ｃにおける第一突出部と対向する位置に形成されており、かつ、当該第一突出部と同形状を有する。第二非接着領域４１ｆは、第二凸部３１ｆにおける第二突出部と対向する位置に形成されており、かつ、当該第二突出部と同形状を有する。第一面取部４１ｄ及び第二面取部４１ｅは、それぞれ第一面取部３１ｄ及び第二面取部３１ｅと対向する位置に設けられており、これら第一面取部３１ｄ及び第二面取部３１ｅと同形状を有する。
【００６０】
第二裏面シート４２は、第二膨出部３２ａの開口を塞ぐ形状を有する第二閉塞部４２ａと、この第二閉塞部４２ａを包囲する形状の第二包囲部４２ｂとを有する。第二包囲部４２ｂは、第一非接着領域４２ｃと、第一面取部４２ｄ及び第二面取部４２ｅと、第二非接着領域４２ｆとを有する。第二閉塞部４２ａは、その表面が接着層となっているが、当該部分はブリスターシート３０及び被包装物２０とは接着されない。第一非接着領域４２ｃ及び第二非接着領域４２ｆも、それぞれその表面が接着層となっているが、これらの部分はブリスターシート３０とは接着されない。第一非接着領域４２ｃは、第一凸部３２ｃにおける第一突出部及び第二個別領域側突出部３５ａと対向する位置に形成されており、かつ、当該第一突出部及び第二個別領域側突出部３５ａと同形状を有する。第二非接着領域４２ｆは、第二凸部３２ｆにおける第二突出部と対向する位置に形成されており、かつ、当該第二突出部と同形状を有する。第一面取部４２ｄ及び第二面取部４２ｅは、それぞれ第一面取部３２ｄ及び第二面取部３２ｅと対向する位置に設けられており、これら第一面取部３２ｄ及び第二面取部３２ｅと同形状を有する。
【００６１】
第三裏面シート４３は、第三膨出部３３ａの開口を塞ぐ形状を有する第三閉塞部４３ａと、この第三閉塞部４３ａを包囲する形状の第三包囲部４３ｂとを有する。第三包囲部４３ｂは、第一非接着領域４３ｃと、第一面取部４３ｄ及び第二面取部４３ｅと、第二非接着領域４３ｆとを有する。第三閉塞部４３ａは、その表面が接着層となっているが、当該部分はブリスターシート３０及び被包装物２０とは接着されない。第一非接着領域４３ｃ及び第二非接着領域４３ｆも、それぞれその表面が接着層となっているが、これらの部分はブリスターシート３０とは接着されない。第一非接着領域４３ｃは、第一凸部３３ｃにおける第一突出部及び第三個別領域側突出部３５ｂと対向する位置に形成されており、かつ、当該第一突出部及び第三個別領域側突出部３５ｂと同形状を有する。第二非接着領域４３ｆは、第二凸部３３ｆにおける第二突出部と対向する位置に形成されており、かつ、当該第二突出部と同形状を有する。第一面取部４３ｄ及び第二面取部４３ｅは、それぞれ第一面取部３３ｄ及び第二面取部３３ｅと対向する位置に設けられており、これら第一面取部３３ｄ及び第二面取部３３ｅと同形状を有する。
【００６２】
第四裏面シート４４は、第四膨出部３４ａの開口を塞ぐ形状を有する第四閉塞部４４ａと、この第四閉塞部４４ａを包囲する形状の第四包囲部４４ｂとを有する。第四包囲部４４ｂは、その四隅に、第一非接着領域４４ｃ〜第四非接着領域４４ｆをそれぞれ有する。第四閉塞部４４ａは、その表面が接着層となっているが、当該部分はブリスターシート３０及び被包装物２０とは接着されない。第一非接着領域４４ｃ〜第四非接着領域４４ｆも、それぞれその表面が接着層となっているが、これらの部分はブリスターシート３０とは接着されない。第一非接着領域４４ｃ及び第四非接着領域４４ｆは、それぞれ第一凸部３４ｃにおける第一突出部及び第四凸部３４ｆにおける第四突出部と対向する位置に形成されており、かつ、当該第一突出部及び第四突出部と同形状を有する。第二非接着領域４４ｄは、当該第四裏面シート４４における第二裏面シート４２と隣接する側に位置する角部のうち、第一非接着領域４４ｃとは異なる側に形成されており、第一非接着領域４３ｃと同形状を有する。第三非接着領域４４ｅは、当該第四裏面シート４４における第三裏面シート４３と隣接する側に位置する角部のうち、第一非接着領域４４ｃとは異なる側に形成されており、第一非接着領域４２ｃと同形状を有する。
【００６３】
第一裏面切断部４６ａ〜第四裏面切断部４６ｄは、それぞれ第一切断誘導部３６ａ〜第四切断誘導部３６ｄと対向する部分に形成されている。すなわち、第一裏面切断部４６ａは、第一裏面シート４１と第二裏面シート４２との間に、第二裏面切断部４６ｂは、第一裏面シート４１と第三裏面シート４３との間に、第三裏面切断部４６ｃは、第二裏面シート４２と第四裏面シート４４との間に、第四裏面切断部４６ｄは、第三裏面シート４３と第四裏面シート４４との間にそれぞれ形成されている。各裏面切断部４６ａ〜４６ｄとしては、ミシン目やスリット、あるいは、各包囲部４１ｂ〜４４ｂの厚みに比べて薄肉とされたもの等が挙げられる。
【００６４】
第一裏面切込部４７ａ〜第三裏面切込部４７ｃは、それぞれ第一切込部３７ａ〜第三切込部３７ｃと対向する部分に形成されており、かつ、それぞれ第一切込部３７ａ〜第三切込部３７ｃと同形状を有する。すなわち、第一裏面切込部４７ａは、第一裏面切断部４６ａと第二裏面切断部４６ｂとに挟まれる第一裏面シート４１の角部を面取りするように設けられる。第二裏面切込部４７ｂは、第一非接着領域４２ｃと第一非接着領域４３ｃとの境界に設けられており、その切断面は、図４に示すように、角を有することなく滑らかに連続する面となっている。第三裏面切込部４７ｃは、第一裏面切込部４７ａとの間に第一非接着領域４２ｃ及び第一非接着領域４３ｃを残しながら、第三裏面切断部４６ｃと第四裏面切断部４６ｄとに挟まれる第四裏面シート４４の角部を面取りするように設けられる。
【００６５】
次に、ブリスターパッケージ１０の製造方法について説明する。
【００６６】
この製造方法は、ブリスターシート製造工程、被包装物収容工程、裏面シート接着工程、及びプレス工程を有する。
【００６７】
ブリスターシート製造工程は、ＰＰ樹脂からなるシートを準備し、このシートを真空成形することにより、複数の（例えば１２の倍数の）膨出部と複数の（例えば６の倍数の）凸部とを有するブリスターシート３０を形成する工程である。被包装物収容工程は、先の工程で得られたブリスターシート３０の各膨出部に、被包装物２０を収容する工程である。裏面シート接着工程は、被包装物２０が収容されている各膨出部の開口を封止するように、ブリスターシート３０の裏面側に裏面シート４０を接着する工程である。この裏面シート接着工程では、ブリスターシート３０と裏面シート４０とを圧着（熱溶着）することにより両者を接着する。そのため、ブリスターシート３０の材料と裏面シート４０における接着層の材料とは同一のもの（本実施形態ではＰＰ樹脂）を用いることが好ましい。このとき、ブリスターシート３０における各膨出部、各凸部は、それぞれその裏面側が裏面シート４０と離間しているので、これらの部分は裏面シート４０とは接着されない。なお、当該工程では、ブリスターシート３０と裏面シート４０とを接着剤により接着するようにしてもよい。プレス工程は、これまでの工程で製造されたブリスターパッケージ１０を、膨出部を１２個含む単位に切断されるようにプレスする工程である。このプレス工程では、トムソン刃を用いた打ち抜き加工により、第一切込部３７ａ〜第三切込部３７ｃ、及び第一裏面切込部４７ａ〜第三裏面切込部４７ｃが同時に形成され、さらに、膨出部を１２個含むブリスターパッケージ１０の周縁の各面取部も同時に形成される。
【００６８】
以上の工程により製造されたブリスターパッケージ１０は、各膨出部を露出させる穴を有する台紙に挟持されることが可能である。通常、この台紙の表面には印刷が施される。
【００６９】
次に、ブリスターパッケージ１０から、被包装物２０を取り出す方法として、第一個別領域３１及び第一裏面シート４１に収容された被包装物２０を取り出す場合と、第二個別領域３２及び第二裏面シート４２に収容された被包装物２０を取り出す場合とを例にとって説明する。
【００７０】
まず、ブリスターパッケージ１０から、第一個別領域３１及び第一裏面シート４１に収容された被包装物２０を取り出すには、ブリスターシート３０における第一切断誘導部３６ａ及び第二切断誘導部３６ｂを切断する。このとき、これら第一切断誘導部３６ａ及び第二切断誘導部３６ｂの切断に合わせて、第一裏面切断部４６ａ及び第二裏面切断部４６ｂも切断される。そうすると、第一切込部３７ａ及び第一裏面切込部４７ａは既に切断されているため、第一個別領域３１及び第一裏面シート４１が切り離される。
【００７１】
次に、第一裏面シート４１を剥がす。このとき、第一凸部３１ｃが第一裏面シート４１から離間しており当該第一裏面シート４１とは接着されていないので、第一凸部３１ｃと対向する部分に位置する第一非接着領域４１ｃをつまむように促される。そして、この第一非接着領域４１ｃをつまんで第一裏面シート４１と剥がすが、このとき、第一凸部３１ｃの先端は面取りされているので、この部分に指が接触しても、指が受ける刺激は少ない。また、第二凸部３１ｆも第一裏面シート４１から離間しており当該第一裏面シート４１とは接着されていないので、この第二凸部３１ｆと対向する部分に位置する第二非接着領域４１ｆをつまんで当該第一裏面シート４１を剥がすことも可能である。このときも、第二凸部３１ｆの先端は面取りされているので、この部分に指が接触しても、指が受ける刺激は少ない。なお、第一個別領域３１は、第一凸部３１ｃ及び第二凸部３１ｆに加え、第一面取部３１ｄ及び第二面取部３１ｅも面取りされているので、そのいずれの部位に指が接触しても、指が受ける刺激は少ない。
【００７２】
続いて、ブリスターパッケージ１０から、第二個別領域３２及び第二裏面シート４２に収容された被包装物２０を取り出すには、ブリスターシート３０における第三切断誘導部３６ｃ及び第二膨出部３２ａを挟んで第一切断誘導部３６ａと反対側（図１の左側）に形成された切断誘導部を切断する。このとき、これら第三切断誘導部３６ｃ及び第二膨出部３２ａの左側に形成された切断誘導部の切断に合わせて、第三裏面切断部４６ｃ及び第二膨出部３２ａの左側に形成された切断誘導部の裏面に位置する裏面切断部も切断される。そうすると、第二切込部３７ｂ、第三切込部３７ｃ、第二裏面切込部４７ｂ及び第三裏面切込部４７ｃは既に切断されているため、第二個別領域３２及び第二裏面シート４２が切り離される。
【００７３】
次に、第二裏面シート４２を剥がす。このとき、第一凸部３２ｃ及び第二個別領域側突出部３５ａが第二裏面シート４２から離間しており、第二裏面シート４２とは接着されていないので、第一凸部３２ｃ及び第二個別領域側突出部３５ａと対向する部分に位置する第一非接着領域４２ｃをつまむように促される。そして、この第一非接着領域４２ｃをつまんで第二裏面シート４２と剥がすが、このとき、第二個別領域側突出部３５ａの先端は面取りされているので、この部分に指が接触しても、指が受ける刺激は少ない。また、第二凸部３２ｆも第二裏面シート４２から離間しており当該第二裏面シート４２とは接着されていないので、この第二凸部３２ｆと対向する部分に位置する第二非接着領域４２ｆをつまんで当該第二裏面シート４２を剥がすことも可能である。このときも、第二凸部３２ｆの先端は面取りされているので、この部分に指が接触しても、指が受ける刺激は少ない。このように、複数個所から裏面シートの剥離が可能な場合であっても、第二非接着領域４２ｆの面積が最大となるように設計されているため、この部分をつまんで裏面シートを剥がすことが好適である。なお、第二個別領域３２は、第二個別領域側突出部３５ａ及び第二凸部３２ｆに加え、第一面取部３２ｄ及び第二面取部３２ｅも面取りされているので、そのいずれの部位に指が接触しても、指が受ける刺激は少ない。
【００７４】
以上のように、本実施形態のブリスターパッケージ１０によれば、当該ブリスターパッケージ１０から、第一個別領域３１及び第一裏面シート４１、あるいは、第四個別領域３４及び第四裏面シート４４のいずれを切り離した場合であっても、その裏面シートを剥がすときに指が受ける刺激を緩和させ、かつ、その裏面シートの剥離を容易にすることができる。具体的には、第一裏面シート４１は第一非接着領域４１ｃを有し、第四裏面シート４４は第一非接着領域４４ｃを有するので、この部分をつまむことにより当該裏面シートを容易に剥離することができる。そして、第一裏面シート４１、あるいは、第四裏面シート４４を剥がすときに指が接触する部分、すなわち、第一個別領域３１における第一凸部３１ｃの先端部、あるいは、第四個別領域３４における第一凸部３４ｃの先端部は、それぞれ面取りされた形状となっているので、これら裏面シートを剥がすときに指が受ける刺激が緩和される。
【００７５】
さらに、この実施形態のブリスターパッケージ１０によれば、当該ブリスターパッケージ１０から、第二個別領域３２及び第二裏面シート４２、あるいは、第三個別領域３３及び第三裏面シート４３を切り離した場合においても、その裏面シートを剥がすときに指が受ける刺激を緩和させ、かつ、その裏面シートの剥離を容易にすることができる。具体的には、第一切込部３７ａ及び第三切込部３７ｃが、介在部３５を残すように形成されており、しかも第二切込部３７ｂがこの介在部３５を分断するように形成されている。よって、第二個別領域３２及び第二裏面シート４２から当該第二裏面シート４２を剥がすとき、あるいは、第三個別領域３３及び第三裏面シート４３から当該第三裏面シート４３を剥がすときのいずれであっても、十分なつまみ代、すなわち、第二裏面シート４２のうち、介在部３５の一部である第二個別領域側突出部３５ａと対向する部分、あるいは、第三裏面シート４３のうち、第三個別領域側突出部３５ｂと対向する部分がそれぞれ確保されるので、この部分をつまむことによりその裏面シートを容易に剥がすことができる。また、その裏面シートを剥がす際につまむ部分は、各個別領域の裏面側と接着されていない第一非接着領域４２ｃ、あるいは、第一非接着領域４３ｃであるので、当該裏面シートの剥離が一層容易となる。そして、第二裏面シート４２、あるいは、第三裏面シート４３を剥がすときに指が接触する部分、すなわち、第二個別領域側突出部３５ａの端面、あるいは、第三個別領域側突出部３５ｂの端面は、いずれも角を有することなく滑らかに連続する面となっているので、指が受ける刺激が緩和される。
【００７６】
加えて、この実施形態のブリスターパッケージ１０は、第一切込部３７ａ及び第三切込部３７ｃが、介在部３５を残すように形成されており、しかも第二切込部３７ｂがこの介在部３５を分断するように形成されていることから、すなわち、各切込部３７ａ〜３７ｃがブリスターシート３０に第二個別領域側突出部３５ａと第三個別領域側突出部３５ｂとを残すように設けられることから、製造工程においてブリスターシート３０の抜き屑が発生しない。このことは、裏面シート４０についても同様である。
【００７７】
また、本実施形態のブリスターシート３０は、第一凸部３１ｃ〜第一凸部３４ｃを有するので、これら凸部とそれらに対向する裏面シートとの間には所定の空間が形成される。よって、その空間に指の一部を挿入することにより、各裏面シートにおける各包囲部第一非接着領域４１ｃ〜４４ｃをつまみやすくなる。
【００７８】
また、本実施形態のブリスターパッケージ１０は、その外縁のうちの四隅に加え、各個別領域及びそれに接着される裏面シートの境界部分がそれぞれ面取りされているので、１２個のうちいずれの個別領域及び裏面シートが切り離されたとしても、その角部が全て面取りされた形状を有する。さらに、いずれの個別領域及び裏面シートも、その裏面シートを剥がすときにつまむつまみ代を少なくとも二箇所に有するので、当該裏面シートの剥離が容易となる。
【００７９】
また、本実施形態のブリスターパッケージ１０は、第一切込部３７ａ〜第三切込部３７ｃ、及び第一裏面切込部４７ａ〜第三裏面切込部４７ｃが予め切断されているので、各切断誘導部を切断するだけで、各個別領域及びこれに接着された裏面シートを切り離すことができる。このことは、例えばこれらの切込部がミシン目でつながっている場合に比べて、前記つまみ代の確保を容易とする。すなわち、各切断誘導部の切断時に、前記つまみ代となるべき部分が誤って切断されるといった不具合の発生が抑制される。さらに、各切込部（特に第二切込部３７ｂ及び第二裏面切込部４７ｂ）は、例えばミシン目とする場合に比べ、製造が容易である。
【００８０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００８１】
例えば、上記実施形態では、膨出部を１２個有するブリスターパッケージ１０の例について説明したが、本発明は、少なくとも一つの介在部３５と、この介在部３５を取り囲むように配置された第一個別領域３１〜第三個別領域３３とを有するものが包含される。
【００８２】
また、上記実施形態では、ブリスターシート３０が、各鍔部第一凸部３１ｃ〜３４ｃをそれぞれの頂点に含んだ四角形の個別領域３１〜３４を有する例について説明したが、このブリスターシート３０としては、各鍔部第一凸部３１ｃ〜３４ｃをそれぞれの頂点に含み、かつ、これら各鍔部第一凸部３１ｃ〜３４ｃをその中心として取り囲むように配置された４つの個別領域を有するものであれば、各個別領域の外形は三角形や扇形等であってもよい。このことは、当該ブリスターシート３０の裏面側に接着される裏面シート４０についても同様である。
【００８３】
また、上記実施形態では、ブリスターシート３０がＰＰ樹脂からなり、裏面シート４０がＰＥＴ樹脂からなる第一層と、アルミ箔からなる第二層と、ＰＰ樹脂からなる接着層とからなる三層構造のものを示したが、例えば、ブリスターシートがＰＥＴ樹脂又はポリスチレン樹脂（ＰＳ樹脂）からなり、裏面シートが、紙からなる第一層と、この第一層の表面側に積層されるアルミ箔からなる第二層と、この第二層の表面側に積層されるＰＥＴ樹脂又はＰＳ樹脂からなる接着層とからなる三層構造のものであってもよい。また、この場合の第二層としては、印刷の施されたアルミ箔であってもよい。
【００８４】
（第二実施形態）
本実施形態では、第一実施形態と異なる部分についてのみ説明を行い、第一実施形態と同じ構成、作用及び効果については説明を省略する。
【００８５】
この第二実施形態のブリスターパッケージ１０における第一実施形態のブリスターパッケージ１０との異なる点は、第一実施形態で第一切込部３７ａ〜第三切込部３７ｃとされていた部分が、切り込まれた形態ではなく各切断誘導部３６ａ〜３６ｄと同様の形態である点、及び第一実施形態で第一裏面切込部４７ａ〜第三裏面切込部４７ｃとされていた部分が、切り込まれた形態ではなく、各裏面切断部４６ａ〜４６ｄと同様の形態である点である。すなわち、本実施形態におけるブリスターシート３０は、第一実施形態における第一切込部３７ａ〜第三切込部３７ｃのそれぞれと対応する位置に第一切断促進部〜第三切断促進部を有し、裏面シート４０は、第一実施形態における第一裏面切込部４７ａ〜第三裏面切込部４７ｃのそれぞれと対応する位置に第一裏面切断促進部〜第三裏面切断促進部を有する。
【００８６】
第一切断促進部は、第一切断誘導部３６ａ及び第二切断誘導部３６ｂに挟まれる第一個別領域３１の角部が面取りされる形状となるように当該ブリスターシート３０の切断を促進する。第二切断促進部は、介在部３５を、第二個別領域側突出部３５ａと第三個別領域側突出部３５ｂとに分断するとともに、その切断面が滑らかに連続する面となるように当該ブリスターシート３０の切断を促進する。第三切断促進部は、第一切断促進部との間に介在部３５を残しながら、第三切断誘導部３６ｃ及び第四切断誘導部３６ｄに挟まれる第四個別領域３４の角部が面取りされる形状となるように当該ブリスターシート３０の切断を促進する。なお、第一切断促進部〜第三切断促進部としては、ミシン目やスリット、あるいは、各鍔部３１ｂ〜３４ｂの厚みに比べて薄肉とされたもの等が挙げられる。
【００８７】
第一裏面切断促進部は、裏面シート４０における第一切断促進部と対向する位置に形成されており、当該第一切断促進部と同形状を有する。第二裏面切断促進部は、裏面シート４０における第二切断促進部と対向する位置に形成されており、当該第二切断促進部と同形状を有する。第三裏面切断促進部は、裏面シート４０における第三切断促進部と対向する位置に形成されており、当該第三切断促進部と同形状を有する。
【００８８】
そして、本実施形態のブリスターパッケージ１０から、第一個別領域３１及び第一裏面シート４１を切り離す場合、ブリスターシート３０における第一切断誘導部３６ａ、第二切断誘導部３６ｂ及び第一切断促進部を切断すればよい。このとき、これら第一切断誘導部３６ａ、第二切断誘導部３６ｂ及び第一切断促進部の切断に合わせて、第一裏面切断部４６ａ、二裏面切断部４６ｂ及び第一裏面切断促進部も切断される。その他の個別領域及びこれに接着された裏面シートをブリスターパッケージ１０から切り離す場合も同様である。
【符号の説明】
【００８９】
１０    ブリスターパッケージ
２０    被包装物
３０    ブリスターシート
３１    第一個別領域
３１ａ  第一膨出部
３１ｂ  第一鍔部
３１ｃ  第一凸部
３１ｄ  第一面取部
３１ｅ  第二面取部
３１ｆ  第二凸部
３２    第二個別領域
３２ａ  第二膨出部
３２ｂ  第二鍔部
３２ｃ  第一凸部
３２ｄ  第一面取部
３２ｅ  第二面取部
３２ｆ  第二凸部
３３    第三個別領域
３３ａ  第三膨出部
３３ｂ  第三鍔部
３３ｃ  第一凸部
３３ｄ  第一面取部
３３ｅ  第二面取部
３３ｆ  第二凸部
３４    第四個別領域
３４ａ  第四膨出部
３４ｂ  第四鍔部
３４ｃ  第一凸部
３４ｄ  第二凸部
３４ｅ  第三凸部
３４ｆ  第四凸部
３５    介在部
３５ａ  第二個別領域側突出部
３５ｂ  第三個別領域側突出部
３５ｃ  切断面
３６ａ  第一切断誘導部
３６ｂ  第二切断誘導部
３６ｃ  第三切断誘導部
３６ｄ  第四切断誘導部
３７ａ  第一切込部
３７ｂ  第二切込部
３７ｃ  第三切込部
４０    裏面シート
４１    第一裏面シート
４１ａ  第一閉塞部
４１ｂ  第一包囲部
４１ｃ  第一非接着領域
４１ｄ  第一面取部
４１ｅ  第二面取部
４１ｆ  第二非接着領域
４２    第二裏面シート
４２ａ  第二閉塞部
４２ｂ  第二包囲部
４２ｃ  第一非接着領域
４２ｄ  第一面取部
４２ｅ  第二面取部
４２ｆ  第二非接着領域
４３    第三裏面シート
４３ａ  第三閉塞部
４３ｂ  第三包囲部
４３ｃ  第一非接着領域
４３ｄ  第一面取部
４３ｅ  第二面取部
４３ｆ  第二非接着領域
４４    第四裏面シート
４４ａ  第四閉塞部
４４ｂ  第四包囲部
４４ｃ  第一非接着領域
４４ｄ  第二非接着領域
４４ｅ  第三非接着領域
４４ｆ  第四非接着領域
４６ａ  第一裏面切断部
４６ｂ  第二裏面切断部
４６ｃ  第三裏面切断部
４６ｄ  第四裏面切断部
４７ａ  第一裏面切込部
４７ｂ  第二裏面切込部
４７ｃ  第三裏面切込部
１０１  第一個別領域
１０２  第二個別領域
１０３  第三個別領域
１０４  第四個別領域
１０５  ミシン目
１０６  角部
【図１】
0005956158.tif 000002
【図２】
0005956158.tif 000003
【図３】
0005956158.tif 000004
【図４】
0005956158.tif 000005
【図５】
0005956158.tif 000006